(57)【要約】複数のトランスポートチャネル（４０５、４０６、４０７）を多重化し、単一の物理チャネルにおいて伝送する。符号（ＴＦＣＩ）をトランスポートチャネルデータフローに付加し、利用可能な方式の組の中からどの処理方式が採用されているかを示し、結果として生じるブロックをインタリーブする。インタリーブの深さは、処理方式の組の中の方式と関連付けられた伝送時間間隔に応じて設定する。
2006501703.tif 000002
【特許請求の範囲】
【請求項１】
デジタルデータのブロックを伝送する方法であって、
第１及び第２の処理されたデータフローを生成するために第１及び第２方式によって第１及び第２データフローを処理する段階と、
連結されたデータのブロックを生成するために前記第１及び第２の処理されたデータフローのデータと、前記の方式を識別する符号とを連結する段階と、
前記ブロックをインタリーブする段階と、
前記ブロックを伝送する段階と、
を有する方法。
【請求項２】
処理方式の組を表すデータを設定する段階を含み、該データは、それぞれの処理方式ごとにブロックサイズと伝送時間を規定しており、前記のインタリーブの深さは、前記規定された伝送時間の最小値を上回らない伝送時間に対応している請求項１記載の方法。
【請求項３】
デジタルデータのブロックを伝送する方法において、
処理方式の組を表すデータを設定する段階であって、該データは、それぞれの処理方式ごとにブロックサイズと伝送時間を規定する、段階と、
少なくとも１つのデータフローを処理する段階であって、該１つの又はそれぞれのデータフローは、前記処理方式の組から選択された方式によって処理される、段階と、
連結されたデータのブロックを生成するために、前記１つの又はそれぞれのデータフローのデータと、１つ又は複数の前記選択された方式を識別する符号とを連結する段階と、
前記ブロックをインタリーブする段階と、
前記ブロックを伝送する段階と、
を有し、
前記のインタリーブの深さは、前記規定された伝送時間の最小値を上回らない伝送時間に対応している方法。
【請求項４】
前記規定された伝送時間は、前記インタリーブの深さに対応する該伝送時間の整数倍である請求項２又は３記載の方法。
【請求項５】
前記処理方式の組を規定する信号を受信する段階を含む請求項２〜４のいずれか一項記載の方法。
【請求項６】
複数の処理方式を表すデータを保存する段階と、前記処理方式の組を規定する前記信号に応答して、前記の保存されたデータから選択する段階と、を含む請求項５記載の方法。
【請求項７】
それぞれの処理方式は、インタリーブプロセスの規定を含んでいる請求項２〜６のいずれか一項記載の方法。
【請求項８】
インタリーブプロセスの規定によるインタリーブは、同一処理方式の伝送時間が前記の組の伝送時間の最小値を上回る場合にのみ、実行される請求項７記載の方法。
【請求項９】
前記ブロックが電波によって伝送される請求項１〜８のいずれか一項記載の方法。
【請求項１０】
デジタルデータのブロックを伝送する送信機であって、
第１及び第２の処理されたデータフローを生成するために、第１及び第２方式によって第１及び第２データフローを処理し、
連結されたデータのブロックを生成するために、前記第１及び第２の処理されたデータフローのデータと、前記方式を識別する符号とを連結し、
前記ブロックをインタリーブするように構成された処理手段と、
前記ブロックを伝送するための伝送回路と、
を備える送信機。
【請求項１１】
前記処理手段は、処理方式の組を表すデータを保存するメモリを含み、前記データは、それぞれの処理方式ごとにブロックサイズと伝送時間を規定し、且つ前記処理手段は、前記のインタリーブの深さが前記の規定された伝送時間の最小値を上回らない伝送時間に対応するように、構成されている請求項９記載の送信機。
【請求項１２】
デジタルデータのブロックを伝送する送信機であって、処理方式の組を表すデータを保存するメモリを含む処理手段を備え、前記データは、それぞれの処理方式ごとにブロックサイズと伝送時間を規定し、前記処理手段は、
少なくとも１つのデータフローを処理し、該１つの又はそれぞれのデータフローは、前記処理方式の組から選択された方式によって処理され、
前記１つの又はそれぞれのデータフローのデータと、連結されたデータのブロックを生成するために、１つ又は複数の前記選択された方式を識別する符号を連結し、
前記ブロックをインタリーブし、
前記ブロックを伝送するように構成されており、
前記のインタリーブの深さは、前記規定された伝送時間の最小値を上回らない伝送時間に対応している送信機。
【請求項１３】
前記規定された伝送時間は、前記インタリーブの深さに対応する伝送時間の整数倍である請求項１１又は１２記載の送信機。
【請求項１４】
前記処理方式の組を規定する信号を受信する受信手段を含む請求項１１〜１３のいずれか一項記載の送信機。
【請求項１５】
前記処理手段は、複数の処理方式を表すデータを保存するメモリを含み、且つ前記処理手段は、前記処理方式の組を規定する前記信号に応答して、前記の保存されたデータから選択するように構成されている請求項１４記載の送信機。
【請求項１６】
それぞれの処理方式は、インタリーブプロセス規定を含んでいる請求項１１〜１５のいずれか一項記載の送信機。
【請求項１７】
前記処理手段は、インタリーブプロセス規定による前記インタリーブが、同一処理方式の伝送時間が前記組の伝送時間の最小値を上回る場合にのみ、実行されるように、構成されている請求項１６記載の送信機。
【請求項１８】
送信機回路は、無線送信機回路を備えている請求項１０〜１７のいずれか一項記載の送信機。
【請求項１９】
請求項１０〜１８のいずれか一項記載の携帯電話機。
【請求項２０】
請求項１０、１１、１２、１３、１５、１６、及び１７のいずれか一項記載の送信機を含む携帯電話ネットワークの基地局。
【発明の詳細な説明】
【技術分野】
【０００１】
本発明は、通信システムに関するものである。
【背景技術】
【０００２】
トランスポートチャネルの概念は、ＵＴＲＡＮ（ユニバーサル移動通信システム無線アクセスネットワーク）において周知である。これらトランスポートチャネルのそれぞれは、異なるＱｏＳ（サービス品質）要件を具備するビットクラスを伝送可能であり、複数のトランスポートチャネルを多重化し、同一の物理チャネルで送信可能である。
【発明の開示】
【発明が解決しようとする課題】
【０００３】
システムの帯域幅の制約内においては、トランスポートチャネルフォーマットの特定の組み合わせのみが可能である。現時点において使用されている組み合わせは、伝送データ内に埋め込まれた符号によって示すことができる。この符号は、所定のデータブロック、例えばＴＤＭＡ携帯電話システムにおける４つのバーストに対してマッピング可能である。この結果、対角インタリーブ（diagonal interleaving）が困難になる。
【課題を解決するための手段】
【０００４】
本発明によれば、デジタルデータのブロックを伝送する方法が提供され、この方法は、第１及び第２の処理されたデータフローを生成するために、第１及び第２方式によって第１及び第２データフローを処理する段階と、連結されたデータのブロックを生成するために、この第１及び第２の処理されたデータフローのデータと、方式を識別するコードとを連結する段階と、このブロックをインタリーブする段階と、このブロックを伝送する段階と、を有している。
【０００５】
好ましくは、この方法は、処理方式の組を表すデータを設定する段階を含み、このデータは、それぞれの処理方式ごとにブロックサイズと伝送時間を規定しており、インタリーブの深さは、規定された伝送時間の最小値を上回らない伝送時間に対応している。
【０００６】
本発明によれば、デジタルデータのブロックを伝送する方法がさらに提供され、この方法は、処理方式の組を表すデータを設定する段階であって、このデータは、それぞれの処理方式ごとにブロックサイズ及び伝送時間を規定している、段階と、少なくとも１つのデータフローを処理する段階であって、その１つの又はそれぞれのデータフローは、処理方式の組から選択された方式によって処理される、段階と、連結されたデータのブロックを生成するために、その１つの又はそれぞれのデータフローのデータと、１つ又は複数の選択された方式を識別するコードを連結する段階と、このブロックをインタリーブする段階と、このブロックを伝送する段階と、を有し、インタリーブの深さは、規定された伝送時間の最小値を上回らない伝送時間に対応している。
【０００７】
好ましくは、前記規定された伝送時間は、前記インタリーブの深さに対応する伝送時間の整数倍になっている。インタリーブの深さは、好ましくは、組の中の最も短い伝送時間に対応しているが、組の中の伝送時間の最大公約数であってもよい。
【０００８】
更に好ましくは、本発明による方法は、前記処理方式の組を規定する信号を受信する段階を含んでいる。更に好ましくは、この方法は、複数の処理方式を表すデータを保存する段階と、前記処理方式の組を規定する信号に応答して、前記の保存されたデータから選択する段階と、を含んでいる。
【０００９】
更に好ましくは、それぞれの処理方式は、インタリーブプロセス規定を含んでいる。更に好ましくは、このインタリーブプロセス規定によるインタリーブは、同一処理方式の伝送時間が、前記組の中の伝送時間の最小値を上回る場合にのみ、実行される。
【００１０】
好ましくは、前記ブロックは、電波によって伝送される。
【００１１】
本発明によれば、デジタルデータのブロックを伝送する送信機も提供され、この送信機は、第１及び第２の処理されたデータフローを生成するために、第１及び第２方式によって第１及び第２データフローを処理し、連結されたデータのブロックを生成するために、第１及び第２の処理されたデータフローのデータと、方式を識別するコードとを連結し、前記ブロックをインタリーブするように構成された処理手段と、前記ブロックを伝送する伝送回路と、を備えている。
【００１２】
好ましくは、処理手段は、処理方式の組を表すデータを保存するメモリを含み、このデータは、それぞれの処理方式ごとにブロックサイズと伝送時間を規定し且つ、処理手段は、インタリーブの深さが、前記規定された伝送時間の最小値を上回らない伝送時間に対応するように、構成されている。
【００１３】
本発明によれば、デジタルデータのブロックを伝送する送信機が提供され、この送信機は、処理方式の組を表すデータを保存するメモリを含む処理手段を備え、このデータは、それぞれの処理方式ごとにブロックサイズと伝送時間を規定しており、処理手段は、少なくとも１つのデータフローを処理し、その１つの又はそれぞれのデータフローは、処理方式の組から選択された方式に従って処理され、その１つの又はそれぞれのデータフローのデータと、連結されたデータのブロックを生成するために、１つ又は複数の選択された方式を識別するコードとを連結し、このブロックをインタリーブすると共に、このブロックを伝送するように構成されており、インタリーブの深さは、規定された伝送時間の最小値を上回らない伝送時間に対応している。
【００１４】
好ましくは、前記規定された伝送時間は、前記インタリーブの深さに対応する伝送時間の整数倍になっている。
【００１５】
好ましくは、本発明による送信機は、前記処理方式の組を規定する信号を受信する受信手段を含んでいる。更に好ましくは、処理手段は、複数の処理方式を表すデータを保存するメモリを含んでおり、処理手段は、前記処理方式の組を規定する信号に応答して、保存されたデータから選択するように構成されている。
【００１６】
好ましくは、それぞれの処理方式は、インタリーブプロセス規定を含んでいる。更に好ましくは、処理手段は、インタリーブプロセス規定によるインタリーブが、同一処理方式の伝送時間が前記組の中の伝送時間の最小値を上回る場合にのみ実行されるように、構成されている。
【００１７】
好ましくは、送信機回路は、携帯電話ネットワークの携帯電話機又は基地局内において使用するのに好適な無線送信機回路から構成されている。
【発明を実施するための最良の形態】
【００１８】
以下、一例として、添付図面を参照し、本発明の好適な実施例について説明する。
【００１９】
図１を参照すれば、携帯電話ネットワーク１は、第１及び第２交換局２ａ、２ｂを含む複数の交換局を備えている。第１交換局２ａは、第１及び第２基地局制御局３ａ、３ｂを含む複数の基地局制御局に接続されている。第２交換局２ｂも、同様に、複数の基地局制御局（図示されてはいない）に接続されている。
【００２０】
第１基地局制御局３ａは、無線基地局４及び複数のその他の無線基地局に接続され、これらを制御している。第２基地局制御局３ｂも、同様に、複数の無線基地局（図示されてはいない）に接続され、これらを制御している。
【００２１】
この例においては、それぞれの無線基地局は、個々のセルに対してサービスしている。即ち、無線基地局４は、セル５に対してサービスしている。しかしながら、指向性アンテナを利用することにより、１つの無線基地局によって複数のセルに対してサービスすることも可能である。セル５内には、複数の移動局６ａ、６ｂが位置している。尚、所定のセル内における移動局の数と識別子は、時間と共に変化することを理解されたい。
【００２２】
この携帯電話ネットワーク１は、ゲートウェイ交換局８により、公衆交換電話網７に接続される。
【００２３】
ネットワークのパケットサービス環境には、個々の複数の基地局制御局３ａ、３ｂに接続された複数のパケットサービスサポートノード９（１つのみが示されている）が含まれている。そして、少なくとも１つのパケットサービスサポートゲートウェイノード１０が、その１つの又はそれぞれのパケットサービスサポートノード９をインターネット１１に接続する。
【００２４】
交換局３ａ、３ｂ及びパケットサービスサポートノード９は、ホームロケーションレジスタ１２にアクセス可能である。
【００２５】
移動局６ａ、６ｂと無線基地局４間の通信には、時分割多元接続（ＴＤＭＡ）方式が採用されている。
【００２６】
図２を参照すれば、第１移動局６ａは、アンテナ１０１、ｒｆサブシステム１０２、ベースバンドＤＳＰ（デジタル信号処理）サブシステム１０３、アナログオーディオサブシステム１０４、ラウドスピーカ１０５、マイクロフォン１０６、コントローラ１０７、液晶ディスプレイ１０８、キーパッド１０９、メモリ１１０、電池１１１、及び電源回路１１２を備えている。
【００２７】
ｒｆサブシステム１０２は、携帯電話機の送信機及び受信機のｉｆ及びｒｆ回路と、移動局の送信機及び受信機をチューニングする周波数シンセサイザと、を含んでいる。このｒｆサブシステム１０２には、電波を送受信するべくアンテナ１０１が接続されている。
【００２８】
ベースバンドＤＳＰサブシステム１０３は、ｒｆサブシステム１０２からベースバンド信号を受信すると共に、ｒｆサブシステム１０２にベースバンド変調信号を送信するべく、ｒｆサブシステム１０２に接続されている。このベースバンドＤＳＰサブシステム１０３は、当技術分野において周知のコーデック機能を含んでいる。
【００２９】
アナログオーディオサブシステム１０４は、ベースバンドＤＳＰサブシステム１０３に接続されており、復調されたオーディオをベースバンドＤＳＰサブシステム１０３から受信する。このアナログオーディオサブシステム１０４は、復調されたオーディオを増幅して、ラウドスピーカ１０５に印加する。一方、マイクロフォン１０６によって検出された音響信号は、アナログオーディオサブシステム１０４によって前置増幅され、符号化のためにベースバンドＤＳＰサブシステム４に送信される。
【００３０】
コントローラ１０７が携帯電話機の動作を制御する。これは、周波数シンセサイザにチューニング命令を供給するべくｒｆサブシステム１０２に接続されており、且つ伝送用の制御データ及び管理データを供給するために、ベースバンドＤＳＰサブシステム１０３に接続されている。このコントローラ１０７は、メモリ１１０内に保存されているプログラムによって動作する。尚、このメモリ１１０は、コントローラ１０７とは別個に示されているが、これをコントローラ１０７と統合することも可能である。
【００３１】
ディスプレイ装置１０８は、制御データを受信するべくコントローラ１０７に接続されており、キーパッド１０９も、ユーザー入力データ信号を供給するべく、コントローラ１０７に接続されている。
【００３２】
電池１１１は、携帯電話機の各構成要素が使用する様々な電圧を有する安定化電源を供給する電源回路１１２に接続されている。
【００３３】
コントローラ１０７は、音声及びデータ通信用に移動局を制御するべくプログラムされており、例えば、ＷＡＰブラウザなどの、移動局のデータ通信機能を利用するアプリケーションプログラムを有している。
【００３４】
第２移動局６ｂも、同様に構成されている。
【００３５】
大幅に簡略化されている図３を参照すれば、無線基地局４は、アンテナ２０１、ｒｆサブシステム２０２、ベースバンドＤＳＰ（ディジタル信号処理）サブシステム２０３、基地局制御局インターフェイス２０４、及びコントローラ２０７を備えている。
【００３６】
ｒｆサブシステム２０２は、無線基地局の送信機及び受信機のｉｆ及びｒｆ回路と、無線基地局の送信機及び受信機をチューニングする周波数シンセサイザを含んでいる。このｒｆサブシステム２０２には、電波を送受信するべく、アンテナ２０１が接続されている。
【００３７】
ｒｆサブシステム２０２には、このｒｆサブシステム２０２からベースバンド信号を受信し、ｒｆサブシステム２０２にベースバンド変調信号を送信するべく、ベースバンドＤＳＰサブシステム２０３が接続されている。このベースバンドＤＳＰサブシステム２０３は、当技術分野において周知のコーデック機能を含んでいる。
【００３８】
基地局制御局インターフェイス２０４は、無線基地局４を、その制御元である基地局制御局３ａに接続する。
【００３９】
コントローラ２０７は無線基地局４の動作を制御する。これは、周波数シンセサイザにチューニング命令を供給するべく、ｒｆサブシステム２０２に接続されており、且つ伝送用の制御データ及び管理データを供給するために、ベースバンドＤＳＰサブシステムに接続される。このコントローラ２０７は、メモリ２１０内に保存されたプログラムによって動作する。
【００４０】
図４を参照すれば、移動局６ａ、６ｂと無線基地局４間の通信に使用されるそれぞれのＴＤＭＡフレームは、８つの０．５７７ミリ秒のタイムスロットから構成されている。１つの「２６マルチフレーム」は、２６個のフレームから構成され、１つの「５１マルチフレーム」は、５１個のフレームから構成されている。そして、５１個の「２６マルチフレーム」又は２６個の「５１マルチフレーム」は、１つのスーパーフレームを構成している。最後に、１つのハイパーフレームは、２０４８個のスーパーフレームから構成されている。
【００４１】
タイムスロット内のデータフォーマットは、タイムスロットの機能に応じて異なっている。正規バースト、即ち、タイムスロットの物理コンテンツは、３つのテールシンボルと、これに続く５８個の暗号化データシンボル、２６シンボルのトレーニングシーケンス、そして、別の５８個の暗号化データシンボルと更なる３つのテールシンボルというシーケンスを有している。８．２５シンボル継続時間の保護期間が、バーストの末尾に提供される。ＧＭＳＫ変調の場合には、１シンボルは、１ビットに等しく、８ＰＳＫ変調の場合には、１シンボルは、３ビットに対応している。周波数補正バーストは、同一のテールビットと保護期間を具備している。但し、そのペイロードは、固定された１４２ビットシーケンスを有している。同期バーストは、暗号化データが２クロックの３９ビットに減少し、トレーニングシーケンスが６４ビット同期シーケンスに置き換えられていることを除き、ノーマルバーストと同じである。最後に、アクセスバーストは、８つの最初のテールビットと、これに続く４１ビットの同期シーケンス、３６ビットの暗号化データと更なる３テールビットを有している。そして、この場合の保護期間の長さは、６８．２５ビットである。
【００４２】
回線交換音声トラフィックに使用する場合には、チャネル化方式は、ＧＳＭに採用されているものと同じである。
【００４３】
図５を参照すれば、フルレートのパケット交換チャネルは、「５２マルチフレーム」にわたって拡散した１２個の４スロット無線ブロックを利用している。第３、第６、第９、及び第１２無線ブロックの後には、アイドルスロットが続いている。
【００４４】
図６を参照すれば、専用並びに共有されているハーフレートのパケット交換チャネルの場合には、スロットは、２つのサブチャネルに交互に割り当てられる。
【００４５】
移動局６ａ、６ｂ及び無線基地局４のベースバンドＤＳＰサブシステム１０３、２０３及びコントローラ１０７、２０７は、２つのプロトコルスタックを実装するべく構成されている。第１のプロトコルスタックは、回線交換トラフィック用であり、これは、従来のＧＳＭシステムに採用されているものと実質的に同一である。そして、第２のプロトコルスタックは、パケット交換トラフィック用である。
【００４６】
図７を参照すれば、移動局６ａ、６ｂと基地局制御局４間の無線リンクに関連する第２プロトコルスタック１に属するレイヤは、無線リンク制御レイヤ４０１、媒体アクセス制御レイヤ４０２、及び物理レイヤ４０３である。
【００４７】
無線リンク制御レイヤ４０１は、トランスペアレントと非トランスペアレントという２つのモードを具備している。トランスペアレントモードにおいては、データは、変更されることなしに、無線リンク制御レイヤを両方向に通過するのみである。
【００４８】
一方、非トランスペアレントモードにおいては、無線リンク制御レイヤ４０１は、リンク適合（link adaptation）を提供し、必要に応じてデータユニットをセグメント化又は連結することによって高位レベルから受信したデータユニットからデータブロックを構築すると共に、データをスタックの上流に伝達する逆のプロセスを実行する。又、このレイヤは、確認応答モードが使用されているかどうかに応じて、消失データブロックの検出と、そのコンテンツの上位転送用のデータブロックの再配列の責任をも担っている。又、このレイヤは、確認応答モードにおいて、逆方向誤り訂正を提供することもできる。
【００４９】
媒体アクセス制御レイヤ４０２は、無線リンク制御レイヤ４０１から適切なトランスポートチャネルへのデータブロックの割り当てと、受信した無線ブロックのトランスポートチャネルから無線リンク制御レイヤ４０３への伝達の責任を担っている。
【００５０】
物理レイヤ４０３は、トランスポートチャネルを通過するデータからの伝送無線信号の生成と、正しいトランスポートチャネルを通じた受信データの媒体アクセス制御レイヤ４０２への伝達の責任を担っている。
【００５１】
トランスポートブロックは、媒体アクセス制御レイヤ４０２と物理レイヤ４０３間において、無線ブロックタイミングと同期した状態で交換される。
【００５２】
図８を参照すれば、アプリケーション４０４ａ、４０４ｂ、４０４ｃによって生成されたデータは、媒体アクセス制御レイヤ４０２に向かってプロトコルスタックを下方に伝播する。このアプリケーション４０４ａ、４０４ｂ、４０４ｃからのデータは、異なるＱｏＳが要求される複数のクラスのいずれかに属することができる。複数のクラスに属するデータを単一のアプリケーションによって生成可能である。媒体アクセス制御レイヤ４０２は、データを、その属するクラスに応じて、アプリケーション４０４ａ、４０４ｂ、４０４ｃから、異なるトランスポートチャネル４０５、４０６、４０７に送る。
【００５３】
それぞれのトランスポートチャネル４０５、４０６、４０７は、複数の処理方式４０５ａ、４０５ｂ、４０５ｃ、４０６ａ、４０６ｂ、４０６ｃ、４０７ａ、４０７ｂ、４０７ｃに応じて信号を処理するように構成可能である。利用可能な処理方式４０５ａ、４０５ｂ、４０５ｃ、４０６ａ、４０６ｂ、４０６ｃ、４０７ａ、４０７ｂ、４０７ｃの規定は、その局のコントローラ１０７、２０７のメモリ内に保存されている。
【００５４】
図９を参照すれば、移動局６ａ、６ｂ及びネットワークの機能及び実行中の１つ又は複数のアプリケーション４０４ａ、４０４ｂ、４０４ｃの特性に基づいて、保存されている規定から選択することにより、トランスポートチャネル４０５、４０６、４０７用の処理方式の組を設定する。移動局６ａ、６ｂは、その機能とアプリケーションを基地局４に伝送し、基地局４は、必要なトランスポートフォーマットを判定し、これを移動局６ａ、６ｂに返送する。
【００５５】
これらの処理方式４０５ａ、４０５ｂ、４０５ｃ、４０６ａ、４０６ｂ、４０６ｃ、４０７ａ、４０７ｂ、４０７ｃは、巡回冗長検査４０５ａ、４０６ａ、４０７ａ、チャネル符号化４０５ｂ、４０６ｂ、４０７ｂ、無線フレーム均等化（radio frame equalizing）４０５ｃ、４０６ｃ、４０７ｃ、トランスポートチャネルインタリーブ４０５ｄ、４０６ｄ、４０７ｄ、セグメント化４０５ｅ、４０６ｅ、４０７ｅ、及びレートマッチング４０５ｆ、４０６ｆ、４０７ｆの固有の組み合わせである。これらの固有の処理方式は、「トランスポートフォーマット」と呼ばれ、トランスポートフォーマットに従って処理されたトランスポートブロックを符号化トランスポートブロックと呼ぶ。異なるトランスポートチャネルは、それらに関連付けられた異なるトランスポート時間間隔（ＴＴＩ）を具備可能である。このトランスポート時間間隔は、媒体アクセス制御レイヤから物理レイヤへのトランスポートブロック転送レートの逆数、即ち、周期である。トランスポート時間間隔は、いずれも、呼設定の際に設定されたトランスポートチャネルフォーマットの組の中の最も短い伝送時間間隔の整数倍になっている。この下限は、１つの無線ブロックの継続時間であり、これは、この例の場合には、２０ミリ秒である。
【００５６】
ＣＲＣ４０５ａ、４０６ａ、４０７ａにより、それぞれのトランスポートブロック内において、誤り検出が提供される。使用するＣＲＣのサイズは、それぞれのトランスポートチャネルごとに固定されており、無線リンク制御レイヤによって設定される。トランスポートブロック全体を使用して、ＣＲＣパリティビットを算出する。残りのＢＥＲのＱｏＳ要件を満たすべく、次のＣＲＣサイズを使用することができよう。
【００５７】
０（誤り検出なし）
６（主にＡＭＲの場合）
１２（ＧＲＰＳにおける場合と同様）
２４（ＵＴＲＡＮにおける場合と同様）
【００５８】
使用するチャネル符号化４０５ｂ、４０６ｂ、４０７ｂは、無線リンク制御レイヤによって選択され、これは、高位レイヤのシグナリングによってのみ変更可能であり、それぞれのトランスポートチャネルごとに固定であると見なすことができる。これは、ＡＭＲの場合には、同一の親符号がすべてのモードに使用されることを意味し、レートマッチングにおいては、パンクチャ又は反復によって符号レートを調整する。
【００５９】
無線フレームサイズ均等化４０５ｃ、４０６、ｃ、４０７ｃは、符号化トランスポートブロックを、同一サイズの整数個のデータセグメントにセグメント化できるように、入力ビットシーケンスをパディングする段階を有している。これは、伝送時間間隔が、呼設定の際に設定されたトランスポートチャネルフォーマットの組の中の最も短い伝送時間間隔よりも長い場合にのみ、使用される。
【００６０】
実際には、無線フレームサイズ均等化４０５ｃ、４０６ｃ、４０７ｃにおいては、必要な場合に、符号化トランスポートブロックの末尾にいくつかのダミービットが追加されるのみである。例えば、符号化トランスポートブロック１２３４５６７と、８０ミリ秒及び２０ミリ秒無線ブロックの伝送時間間隔を例にとれば、これを４つのセグメント（２０ミリ秒の４つの無線ブロック）に分割できるように、１ダミービットが、トランスポートブロックの末尾に追加され、１２３４５６７８とすることになる。
【００６１】
トランスポートチャネルインタリーバ４０５ｄ、４０６ｄ、４０７ｄは、列間置換（inter-column permutation）を有する単純なブロックインタリーバである。これは、伝送時間間隔が、呼設定の際に設定されたトランスポートチャネルフォーマットの組の中の最も短い伝送時間間隔を上回る場合に、使用され、それ以外の場合には、トランスペアレントである。そして、そのタスクは、同一無線ブロック内において、連続符号化ビットが伝送されないようにすることである。
【００６２】
伝送時間間隔が、呼設定の際に設定されたトランスポートチャネルフォーマットの組の中の最も短い伝送時間間隔（ＴＴＩmin）よりも長い場合には、入力ビットシーケンスは、セグメント化され、ｎ個の連続した無線ブロック（ｎ＝（伝送時間間隔）／ＴＴＩmin）にマッピングされる。入力ビットシーケンス長は、無線フレームサイズ均等化の後に、ｎの整数倍になることが保証されている。
【００６３】
レートマッチングは、トランスポートチャネル内のビットを符号化したレートマッチング手段を反復するか、又はパンクチャすることを意味する。高位のレイヤが、それぞれのトランスポートチャネルごとにレートマッチング属性を割り当てる。この属性は、準静的であって、高位レイヤのシグナリングによってのみ変更可能である。このレートマッチング属性は、反復又はパンクチャ対象のビット数を算出する際に使用され、この属性が大きいほど、ビットの重要性も高くなる（より多くの反復／より少ないパンクチャ）。レートマッチング属性は、互いを比較する場合にのみ、有意である。例えば、第１トランスポートチャネルのレートマッチング属性が２であり、第２トランスポートチャネルのレートマッチング属性が１の場合には、第１トランスポートチャネルは、第２トランスポートチャネルよりも２倍だけ重要である。
【００６４】
ブロックサイズは、動的な属性であるため、トランスポートチャネル上のビット数は、異なる伝送時間間隔間で変化可能である。これが発生した場合には、トランスポートチャネル多重化の後に、合計ビットレートが、割り当てられている専用物理チャネルの合計チャネルビットレートと同一になるように、符号化ビットの反復又はパンクチャを行う。
【００６５】
レートマッチングにおいては、レートマッチング属性に基づいて、無線ブロックに整合するようにトランスポートブロックのサイズを調整する（この属性が大きいほど、符号化ビットの重要度も高くなる）。例えば、同一のレートマッチング属性を有する２つのトランスポートブロックを同一無線ブロック内において送信する場合には、それらは、利用可能なペイロードの半分を使用することになる。
【００６６】
レートマッチングプロセスから出力されたデータは、多重化プロセス４１０によって多重化される。
【００６７】
以下のトランスポートチャネルのインタリーブ及び多重化の例においては、１２データビットと４ＴＦＣＩビットを有する無線ブロックを使用し、インタリーブ及び多重化を示している。これらの小さな値は、本発明の理解を容易にすることを目的として使用されていることを理解されたい。又、一般に、それぞれのトランスポートフォーマットの実行は、実際のシステムの場合には、この説明の例よりも格段に長いものになろう。
【００６８】
図１０及び図１１（ａ）を参照すれば、第１トランスポートチャネルＴｒＣＨ  Ｙに属する第１トランスポートブロック７００は、第１トランスポートフォーマットＴＦＹ０を具備しており、そのトランスポート時間間隔が２０ミリ秒であるため、これは、トランスポートフォマットの組の中で最も短いが、トランスポートチャネルインタリーブは適用されない。ＴＦＹ０トランスポートブロックは、６ビットを有しているため、レートマッチングは、トランスポートブロックの６ビットを重複することにより、実現される。第１トランスポートチャネルＴｒＣＨ  Ｙには、トランスポートチャネルインタリーブは適用されないが、これは、後述する物理レイヤインタリーブにおいて、インタリーブされることになる。
【００６９】
図１０及び図１１（ｂ）を参照すれば、第２トランスポートチャネルＴｒＣＨ  Ｘに属する第２トランスポートブロック７０２は、４０ミリ秒の伝送時間間隔を有する第２トランスポートフォーマットＴＦＸ０を具備している。伝送時間間隔が、トランスポートフォーマットの組の中の最小値を上回っているため、この第２ブロックには、トランスポートチャネルインタリーブが適用される。そして、インタリーブされたビットは、次いで、セグメント化され、この第２セグメントは、後続の無線ブロック７０５による伝送用に保持される。
【００７０】
ＴＦＹ０フォーマットを使用する第３トランスポートブロック７０４は、この第２トランスポートブロック７０２と連結される。この第３トランスポートブロック７０４のレートマッチングにおいては、このブロックが第２トランスポートブロック７０２の第１セグメントと第２無線ブロック７０３を共有しているため、その内部のビット数は変化しない。
【００７１】
図１０及び図１１（ｃ）を参照すれば、第２トランスポートブロック７０２の第２セグメントは、ＴＦＹ０フォーマットを使用する第４トランスポートブロック７０６のデータと連結される。第４トランスポートブロック７０６は、第１及び第３トランスポートブロック７００、７０４の場合と同様に、トランスポートチャネルインタリーブを受けず、第３トランスポートブロック７０４の場合と同様に、その長さはレートマッチングによって変化しない。
【００７２】
以上において使用した単純な例においては、レートマッチングがビットの重複によって単純に実行されており、「フルレート」には、全ビットの重複が必要になると見なすことができる。但し、可変圧縮ファクタを使用して、１転送ブロック又はその一部を伝送するのに必要なビットを削減することにより、レートマッチングを実現することも可能である。
【００７３】
トランスポートチャネル４０５、４０６、４０７用に生成される合成データレートは、移動局６ａ、６ｂに割り当てられている１つ又は複数の物理チャネルのデータレートを上回ってはならない。この結果、許容可能なトランスポートフォーマットの組み合わせに対して制限が課されることになる。例えば、それぞれのトランスポートチャネルごとに、３つのトランスポートフォーマットＴＦ１、ＴＦ２、ＴＦ３が存在する場合に、
ＴＦ１  ＴＦ１  ＴＦ２
ＴＦ１  ＴＦ３  ＴＦ３
という組み合わせは、有効であるが、
ＴＦ１  ＴＦ２  ＴＦ２
ＴＦ１  ＴＦ１  ＴＦ３
という組み合わせは有効ではない。
【００７４】
媒体アクセス制御レイヤの情報から、トランスポートフォーマット合成インジケータ生成プロセス４１２により、トランスポートフォーマット合成インジケータ（ＴＦＣＩ）が生成され、符号化プロセス４１３によって符号化される。トランスポートフォーマット合成インジケータは、所定の接続において、同一のブロックサイズを具備している。このサイズは、許容されているトランスポートフォーマットの組み合わせの数によって左右され、呼設定又はハンドオーバーなどの再設定プロセスの際に設定される。トランスポートフォーマット合成インジケータは、異なるトランスポートチャネルからのデータを連結する多重化プロセス４１０の後に、トランスポートフォーマット合成インジケータ挿入プロセス４１１により、データフローの先頭に付加される（図１１（ａ）〜図１１（ｃ））。
【００７５】
図１１（ａ）〜図１１（ｃ）には、ブロックインタリーブが示されているが、トランスポートフォーマット合成インジケータ挿入プロセス４１１の出力に対しては、物理レイヤインタリーブ４１４が適用され、このインタリーブは、ブロック又は対角（diagonal）であってよい。この物理レイヤインタリーブの深さは、呼設定の際に設定されるトランスポートチャネルフォーマットの組の中の最も短い伝送時間間隔に設定される。図１１（ａ）〜図１１（ｃ）に示されている例の場合には、最小の伝送時間間隔が２０ミリ秒、即ち、１つの無線ブロックであり、物理レイヤインタリーブは、１つの無線ブロック内のデータに適用されるブロックインタリーブプロセスである。この物理レイヤインタリーブは、トランスポートフォーマットの組が変化しない限り、この場合には、移動局６ａ、６ｂと基地局４間のやり取りが必要となるが、変化しない。
【００７６】
受信局は、トランスポートフォーマット合成インジケータと、確定的な多重化プロセスに関する知識から、多重化ビットストリーム内のそれぞれのトランスポートチャネルのデータの場所を判定可能である。受信局には、物理レイヤインタリーブの方式と、インタリーブされていない無線ブロック内のトランスポートフォーマット合成インジケータの場所が判明しているため、トランスポートフォーマット合成インジケータを容易に回復可能であり、トランスポートチャネルの分離及びデコードを実行可能である。
【００７７】
添付の請求項の精神及び範囲を逸脱することなしに、以上の実施例を様々に変更可能であることを理解されたい。
【図面の簡単な説明】
【００７８】
【図１】本発明によるモバイル通信システムを示す図である。
【図２】移動局のブロック図を示す図である。
【図３】無線基地局のブロック図を示す図である。
【図４】本発明の実施例において使用されるフレーム構成を示す図である。
【図５】本発明の実施例におけるパケットデータチャネルを示す図である。
【図６】本発明の実施例における２つのハーフレートパケットチャネル間における無線チャネルの共有を示す図である。
【図７】本発明の実施例において使用されるプロトコルスタックの下位レベルを示す図である。
【図８】無線信号の生成を示す図である。
【図９】本発明に関連する呼設定のシグナリングを示す図である。
【図１０】本発明による信号を示す図である。
【図１１（ａ）】図１０の信号の無線ブロックの形成を示す図である。
【図１１（ｂ）】図１０の信号の無線ブロックの形成を示す図である。
【図１１（ｃ）】図１０の信号の無線ブロックの形成を示す図である。
【図１】
2006501703.tif 000003
【図２】
2006501703.tif 000004
【図３】
2006501703.tif 000005
【図４】
2006501703.tif 000006
【図５】
2006501703.tif 000007
【図６】
2006501703.tif 000008
【図７】
2006501703.tif 000009
【図８】
2006501703.tif 000010
【図９】
2006501703.tif 000011
【図１０】
2006501703.tif 000012
【図１１（ａ）】
2006501703.tif 000013
【図１１（ｂ）】
2006501703.tif 000014
【図１１（ｃ）】
2006501703.tif 000015
【手続補正書】
【提出日】平成16年7月17日(2004.7.17)
【手続補正１】
【補正対象書類名】特許請求の範囲
【補正対象項目名】請求項１
【補正方法】変更
【補正の内容】
【請求項１】
デジタルデータのブロックを伝送する方法であって、
第１及び第２の処理されたデータフローを生成するために第１及び第２方式によって第１及び第２データフローを処理する段階と、
連結されたデータのブロックを生成するために前記第１及び第２の処理されたデータフローのデータと、前記の方式を識別する符号とを連結する段階と、
前記第１及び第２データフローと前記の符号に影響を及ぼすように前記ブロックをインタリーブする段階と、
前記ブロックを伝送する段階と、
を有する方法。
【手続補正書】
【提出日】平成16年7月24日(2004.7.24)
【手続補正１】
【補正対象書類名】特許請求の範囲
【補正対象項目名】請求項１０
【補正方法】変更
【補正の内容】
【請求項１０】
デジタルデータのブロックを伝送する送信機であって、
第１及び第２の処理されたデータフローを生成するために、第１及び第２方式によって第１及び第２データフローを処理し、
連結されたデータのブロックを生成するために、前記第１及び第２の処理されたデータフローのデータと、前記方式を識別する符号とを連結し、
前記第１及び第２データフローと前記の符号に影響を及ぼすように前記ブロックをインタリーブするように構成された処理手段と、
前記ブロックを伝送するための伝送回路と、
を備える送信機。
【国際調査報告】
2006501703.tif 000016
2006501703.tif 000017